(57)【要約】ストラップ装置１５は、中央部材３ｂ，５ｂを隔ててスリット７ｂ，７ａ及び９ａ，９ｂが形成されているガイド３，５を有する。中央部材３ｂ，５ｂには、ストラップ１１及び１３の一端がそれぞれ固着されている。ストラップ１１の他端１１ｂはガイド５のスリット９ａ，９ｂを通過した後、ガイド３のスリット７ａを通過する。ストラップ１３の他端１３ｂはガイド３のスリット７ａ，７ｂを通過した後、ガイド５のスリット９ａを通る。他端１１ｂ，１３ｂを互いに反対方向に引出すことでガイド間隔の４倍の長さのストラップを瞬時に引出せる。ショルダストラップに使用することで、体裁が良く、機能性、安全性に優れたバッグを提供できる。
2002074128.tif 000002
【特許請求の範囲】
【請求項１】
伸縮自在なストラップ装置であって、
第１及び第３スリットが形成されている第１ガイドと；
一端が第１ガイドに連結された第１ストラップと；
第１ガイドと対向して配置され、第２及び第４スリットが形成されている第２ガイドと；
一端が第２ガイドに連結された第２ストラップと；を備え、
第１ストラップの他端が第２及び第４スリットの少なくとも一方を通って第１ガイドの方に戻り、次いで第１ガイドの第１及び第３スリットの一方を通過しており、第２ストラップの他端が第１及び第３スリットの少なくとも一方を通って第２ガイドの方に戻り、次いで第２ガイドの第２及び第４スリットの一方を通過しているストラップ装置。
【請求項２】
第１ストラップの前記一端が第１スリットと第３スリットとの間に画成された中間部材に連結されており、第２ストラップの前記一端が第２スリットと第４スリットとの間に画成された中間部材に連結されている請求項１に記載のストラップ装置。
【請求項３】
第１ストラップの前記他端が第２スリット及び第４スリットを通って第１ガイドの方に戻り、次いで第３スリットを通っており、第２ストラップの前記他端が第３スリット及び第１スリットを通って第２ガイドの方に戻り、次いで第２スリットを通過している請求項１に記載のストラップ装置。
【請求項４】
第１ガイドと第２ガイドの間に第１及び第２ストラップがそれぞれ２重に重なって存在しており、第１及び第２ストラップの前記他端を互いに離れる方向に引離すことによって第１ガイドと第２ガイドが接近する請求項１に記載のストラップ装置。
【請求項５】
第１または第２ストラップの他端近傍に第１及び第２ストラップの少なくとも一方のストラップの移動を防止するロック部材を備える請求項１に記載のストラップ装置。
【請求項６】
ストラップ装置がショルダストラップであり、第１及び第２ストラップの他端に、それぞれ、物体に着脱可能な部材が取付けられている請求項１〜５のいずれか一項に記載のストラップ装置。
【請求項７】
第２ストラップが第１ストラップよりも所定長さ長い請求項６に記載のストラップ装置。
【請求項８】
さらに、ストラップが通る通路が形成されたパッドを備え、第２ストラップが該通路を通っている請求項７に記載のストラップ装置。
【請求項９】
さらに、第１及び第２ガイドにそれぞれ取付けられた第１及び第２パッドを備える請求項６に記載のストラップ装置。
【請求項１０】
第１ストラップの他端が物体に接続され、第２ストラップの他端にクリップを有する請求項１〜５のいずれか一項に記載のストラップ装置。
【請求項１１】
前記物体が、バッグ、カメラ及び望遠鏡の一つである請求項６に記載のストラップ装置。
【請求項１２】
前記物体が、携帯電話またはキーである請求項１０に記載のストラップ装置。
【請求項１３】
バッグ本体と、請求項１に記載のストラップ装置とを備え、バッグ本体に第１ストラップ及び第２ストラップの前記他端がそれぞれ取付けられているバッグ。
【請求項１４】
第２ストラップが第１ストラップよりも所定長さ長い請求項１２に記載のバッグ。
【請求項１５】
ストラップが通る通路が形成されたパッドを備え、第２ストラップが該通路を通っている請求項１４に記載のバッグ。
【請求項１６】
さらに、第１及び第２ガイドにそれぞれ取付けられた第１及び第２パッドを備える請求項１３に記載のバッグ。
【請求項１７】
第１ガイド及び第２ガイドの少なくとも一方を第１もしくは第２ストラップまたはバッグ本体に対してロックするためのロック機構を備える請求項１３〜１６のいずれか一項に記載のバッグ。
【請求項１８】
上記ロック機構は、第１ストラップに取付けられたロック部材と、第１ガイドに取付けられ且つ前記ロック部材と着脱可能に係合する係合部材とを含む請求項１７に記載のバッグ。
【請求項１９】
上記ロック機構は、バッグ本体に取付けられたロック部材と、第１ガイドに取付けられてロック部材と着脱可能に係合する係合部材とを含む請求項１７に記載のバッグ。
【請求項２０】
さらに、第１及び第２ガイドにそれぞれ取付けられた第１及び第２パッドと、バッグ本体に取付けられたロック部材と、第１パッドに取付けられてロック部材と着脱可能に係合する係合部材とを含む請求項１３に記載のバッグ。
【請求項２１】
上記ロック機構は、第１ガイドまたは第２ガイドに回転可能に取付けられ且つ回転位置に応じて第１及び第２ストラップの少なくとも一方を係止可能なロック部材を有する請求項１７に記載のバッグ。
【請求項２２】
伸縮自在なストラップ装置であって、
第１スリットが画定されている第１ガイドと；
一端が第１ガイドに連結された第１ストラップ及び第２ストラップと；
第１ガイドと対向して配置され、第２スリットが画定されている第２ガイドと；
を備え、第１ストラップの他端が第２スリットを通って第１ガイドの方に戻り、次いで第１スリットを通過しており、第２ストラップの他端が第２スリットを通過しているストラップ装置。
【請求項２３】
バッグ本体と、請求項２２に記載のストラップ装置とを備え、バッグ本体に第１ストラップ及び第２ストラップの他端がそれぞれ取付けられているバッグ。
【発明の詳細な説明】
技術分野
本発明は、伸縮自在のストラップ及びそれを備えるバッグに関する。
背景技術
ショルダストラップ（ショルダベルト）が取付けられたバッグは、ショルダストラップを肩に掛けてバッグを保持することができるので、バッグの荷重が重い場合や使用者の手を自在にしたい場合などに便利である。ショルダストラップは、通常、バッグ本体の左右上端部のフックに着脱可能に取付けられている。しかしながら、ショルダストラップを使用しない場合には、ショルダストラップがバッグ本体から垂れ下がり体裁が良くない。また、バッグ本体から垂れ下がったショルダストラップがものに引掛って事故を招く場合もあり得る。さらに、バッグを、空港や電車のホームで床に一時的に置いたときには、ショルダストラップが床に触れて衛生上よくない。
特開平１０−１１７８２７号は、鞄のまち部にベルト保持具を備え、ベルト端部がベルクロにより鞄に貼り付け可能なショルダベルト付き鞄を開示している。この鞄はショルダベルトが鞄の外周に巻き付けられており、ショルダベルトとして使用したいときに、ベルト端部を鞄から外し、所望の長さにベルトを調節した後に、保持具でベルトを固定し、最後にベルト端部をベルクロなどにより鞄に貼り付けている。しかしながら、この鞄では、ベルト保持具やベルクロなどの特有の部品を鞄に付ける必要がある。また、この鞄ではショルダベルトを使用するための動作及び収納するときの動作が煩雑であり、それらの動作を迅速に行えないという不都合がある。
本発明の第１目的は、ストラップを使用していない場合は、ストラップがバッグ本体から垂れ下がることがない長さに縮み、ストラップが必要なときには瞬時に十分な長さに引き伸ばすことができるストラップ及びそれを備えるバッグを提供することにある。本発明の第２の目的は、携帯電話のストラップなどの種々の用途に適用可能な延在可能なストラップを提供することにある。
発明の開示
本発明の第１の態様に従えば、伸縮自在なストラップ装置（１５）であって、第１スリット（７ｂ）及び第３スリット（７ａ）が形成されている第１ガイド（３）と；一端（１１ａ）が第１ガイドに連結された第１ストラップ（１１）と；第１ガイド（３）と対向して配置され、第２スリット（９ａ）及び第４スリット（９ｂ）が形成されている第２ガイド（５）と；一端（１３ａ）が第２ガイドに連結された第２ストラップ（１３）と；を備え、第１ストラップの他端（１１ｂ）が第２スリット及び第４スリットの少なくとも一方を通って第１ガイドの方に戻り、次いで第１ガイドの第１スリット及び第３スリットの一方を通過しており、第２ストラップの他端（１３ｂ）が第１スリット及び第３スリットの少なくとも一方を通って第２ガイドの方に戻り、次いで第２ガイドの第２スリット及び第４スリットの一方を通過しているストラップ装置が提供される。第１ストラップの一端（１１ａ）が第１スリットと第３スリットとの間に画成された中間部材（３ｂ）に連結されており、第２ストラップの一端（１３ａ）が第２スリットと第４スリットとの間に画成された中間部材（５ｂ）に連結され得る。
本発明の第２の態様に従えば、伸縮自在なストラップ（３５）であって、第１スリット（２７ａ）が画定されている第１ガイド（２３）と；一端（３１ａ，３３ａ）がそれぞれ第１ガイド（２３）に連結された第１ストラップ（３１）及び第２ストラップ（３３）と；第１ガイドと対向して配置され、第２スリット（２９ａ）が画定されている第２ガイド（２５）と；を備え、第１ストラップの他端（３１ｂ）が第２スリット（２９ａ）を通って第１ガイドの方に戻り、次いで第１スリット（２７ａ）を通過しており、第２ストラップの他端（３３ｂ）が第２スリット（２９ａ）を通過しているストラップが提供される。
本発明の第３の態様に従えば、本発明第１または第２の態様のストラップ装置を備えるバッグ（１５０、１８０）が提供される。本明細書において、用語「スリット」とは、細長い矩形のみならず、円形、楕円形、正方形などの任意の断面形状の開口を意味する。また、用語「ストラップ」は、断面が細長い矩形のみならず、円形、楕円形などの任意の形状のひもを意味する。
発明の最良の実施形態
第１具体例
本発明のストラップの第１具体例を、図１Ａ〜１Ｃ及び図２Ａ，２Ｂを用いて説明する。ストラップ装置１５は、第１ガイド３、第２ガイド５、第１ストラップ１１及び第２ストラップ１３を備える。第１ガイド３は、図２Ａに示すように、ほぼ矩形の枠であり、枠の中央部に長手方向に延在する中央部材（ブリッジ）３ｂを隔ててその上方及び下方にそれぞれ互いに平行なスリット７ｂ及び７ａが形成されている。中央部材３ｂには第１ストラップ１１の一端１１ａが固着されている。第１ストラップ１１は、スリット７ａ及び７ｂよりもわずかに狭い幅で且つスリットの１／２以下の厚みを有し、ポリプロピレン、ポリエチレンまたはナイロンのような表面が滑らかで柔軟な部材から構成されている。第２ガイド５も、また、図２Ｂに示すように、第１ガイド３と同じ材料及び構造を有するほぼ矩形の枠であり、中央部材５ｂを隔てて上下に平行なスリット９ａ及び９ｂが形成されている。中央部材５ｂには第２ストラップ１３の一端１３ａが固着されている。第２ストラップ１３は第１ストラップ１１と同じ寸法で同じ材料から形成されている。ストラップ１１、１３は、図７及び図１３に示すように、それぞれ中央部材３ｂ（４０ｂ、６０ｂ）、５ｂに巻き付けてストラップの一端１１ａ、１３ａをストラップ自体に縫い合わせても良い。
第１ガイド３及び第２ガイド５は、図１Ａに示すように、互いにストラップ１１，１３が延在している側が向い合うように配置されている。第１ガイド３の中央部材３ｂに一端１１ａが固着された第１ストラップ１１の他端１１ｂは、第２ガイド５に向かって延在し、第２ガイド５のスリット９ａを通過する。第２ガイド５のスリット９ａを通過した他端１１ｂは、折り返してスリット９ｂを通過して第１ガイド３に向う。次いで、第１ガイド３のスリット７ａを通過して、第１ガイド３及び第２ガイド５で挟まれた領域の外側に（第１ガイドの出口側）位置している。第２ガイド５の中央部材５ｂに一端１３ａが固着された第２ストラップ１３の他端１３ｂは、第１ガイド３に向かって延在し、第１ガイド３のスリット７ａを通過する。スリット７ａ通過した他端１３ｂは、折り返してスリット７ｂを通過して第２ガイド５向かい、第２ガイド５のスリット９ａを通過して、第１ガイド３及び第２ガイド５で挟まれた領域の外側（第２ガイドの出口側）に位置している。
図１Ａから分かるように、ストラップ１１及びストラップ１３がそれぞれ第１ガイド３と第２ガイド５の間に折りたたまれて存在しており、その結果、第１ガイド３と第２ガイド５の間にストラップ１１，１３の半部が４重に重なって位置している。
次いで、ストラップ装置１５の動作を説明する。図１Ａに示した状態のストラップ装置１５において、ストラップ１１及び１３の他端１１ｂ及び１３ｂを互いに離れる方向に引く。すると、図１Ｂに示したように、第１及び第２ガイド３及び５が互いに近づく方向に移動しつつ、第１及び第２ガイド３及び５からストラップ１１及び１３が引出される。さらに、他端１１ｂ及び１３ｂを互いに離れるように引離すと、図１Ｃに示したように、第１ガイド３と第２ガイド５が互いに突き合いそれ以上ストラップ１１，１３は引出されなくなる。このとき、ストラップ１１及び１３の殆どの長さがそれぞれのガイドを通って引出されており、図１Ａに示した状態のストラップ装置１５における第１ガイド３と第２ガイド５との間隔の２倍の長さがそれぞれのガイドから引出され、ストラップ装置全体としてその間隔の４倍の長さが得られている。ストラップ装置１５を図１Ａに示したような元の状態に戻すには、突き合っている第１ガイド３と第２ガイドを互いに反対方向に引離せばよい。これにより４倍長に伸長可能なストラップが実現される。
第２具体例
図３に示すバッグ１５０は、本体８０と、その上に図１Ａに示した状態で載置されたストラップ装置９８を有する。ストラップ装置９８は、第２ストラップ１３が第１ストラップ１１に比べて所定長さ長いことを除いては図１に示したストラップ装置１５と同様の構造を有する。所定長さはユーザの肩の厚みに基づいて選択され、１５〜２５ｃｍが適当である。第１及び第２ストラップの他端１１ｂ及び１３ｂはバッグ本体８０の上面の端部にそれぞれ固着されている。あるいは、図示しないナス環（リング）を通じて着脱可能にバッグ本体８０の左右側壁部に取付けてもよい。第２ガイド５からストラップ装置の外側（第２ガイドの出口側）に延在しているストラップ１１の部分には柔軟な肩パッド７０が通されている。肩パッド７０は第２ガイド５に固着されていてもよい。
図３Ａに示したバッグ１５０のストラップ装置９８をショルダストラップとして使用するには、肩パッド７０を単に上方に引き上げれば良い。このとき、図３Ｂに示したようにストラップ１１及び１３は、それぞれ第１ガイド３及び第２ガイド５の間の領域から引出されて、図３Ａに示した状態のストラップ装置９８における第１及び第２ガイド間距離の約４倍の長さが引出される。そして、第１ガイド３及び第２ガイド５は、ユーザの肩位置を避けるように、引出されたストラップの中央のやや左側に位置する。パッド７０は、ストラップ１１上をスライド移動して、引出されたストラップのほぼ中央に位置し、ユーザの肩を保護する。特に上記所定長さとほぼ同じ長さのパッドを取付けると必ずパッドの中央が肩の真中に位置するという利点がある。ショルダストラップを使用しないときには、第１及び第２ガイド３および５を互いに反対方向に引離せばよい。この単純な動作でストラップは即座に図３Ａに示した状態に戻る。
本発明のバッグによれば、ショルダストラップが必要なときだけ、バッグ本体からショルダストラップを瞬時に且つ十分な長さで引出すことができる。ショルダストラップが不要なときには、ストラップをきわめて容易にバッグ上に折りたたんだ状態に戻すことができ、ストラップはバッグから垂れ下がることがない。それゆえ、体裁がよく、安全で且つ機能性に優れたバッグが提供される。本発明のストラップ装置は、ブリーフケース、スポーツバッグ、スーツケース、ガーメントバッグ、ハンドバッグ、ナップサック、トートバッグ、カメラケース、楽器ケース、釣具ケースなどのストラップまたはベルトを有する任意のバッグに使用可能である。さらに、バッグ本体の代わりに、カメラ、ビデオカメラ、種々の記録装置、望遠鏡のような機器などのショルダストラップが適用可能な任意の物体に取付けてもよい。
第３具体例
図４に示すバッグ１８０は、本体８０と、その上に図１Ａに示した状態で載置されたストラップ装置９５を有する。ストラップ装置９５は、第１ストラップ１１及び第２ストラップ１３がそれぞれ図１Ａに示したものより長く、それらの他端１１ｂ，１３ｂは互いに連結されていることを除いては図１に示したものと同様である。第１及び第２ストラップの他端１１ｂ及び１３ｂは、第１ガイド３及び第２ガイド５を出た後、それぞれバッグ本体８０の上面に固着されたリング８２及び８４を通過している。他端１１ｂ及び１３ｂがリング８２及び８４を通過した後、互いに接続されることにより、ストラップ装置の最上部にストラップ部分７５が創生される。ストラップ部分７５には柔軟な肩パッド７０が通されている。
図４Ａに示したバッグ１８０のストラップ装置９５をショルダストラップとして使用するには、肩パッド７０を単に上方に引き上げれば良い。この結果、図４Ｂに示すように、ストラップ１１及び１３は、それぞれリング８２及び８４を通って第１ガイド３及び第２ガイド５から引出される。図４Ｂに示した状態では、図４Ａに示した状態のストラップ装置９５の第１及び第２ガイド間距離の約４倍の長さが引出されている。そして、パッド７０は、ストラップ１１上をスライド移動して、引出されたストラップのほぼ中央に位置し、それによりユーザの肩を保護することができる。図４Ａに示した状態に戻すには、第１及び第３ガイド３，５を互いに引離せばよい。
第４具体例
図１に示したストラップ装置１５の寸法を全体的に小さくして、図５に示したように、第１ストラップ１１の他端１１ｂを細糸２１を介して携帯電話１２３に接続してもよい。この場合、ストラップ幅は５〜８ｍｍが好適である。第２ストラップ１３の他端１３ｂにはポケット等に挟んで落下を防止するためのクリップ１２５を接続することができる。胸ポケットやズボンのポケットに入れた携帯電話１２３が着信した場合に、クリップ１２５をポケットから外すことなく、携帯電話１２３をポケットから取出して耳元に近づけることができる。この動作の間に、ストラップがガイドから引出される。携帯電話１２３の代わりにキー、キーホルダ、ライト、ライター、方位磁石、工具などをストラップ装置に付けてもよい。また、ストラップ長を長くすると、首掛け式のストラップになり得る。首掛け式のストラップの場合、クリップ１２５を介してあるいはクリップ１２５なしでストラップ他端１１ｂ、１３ｂ同士を連結させればよい。
第５具体例
図６Ａに示すストラップ装置３５は第１ガイド２３及び第２ガイド２５を互いに対向して備える。第１ガイド２３は中央部材２３ｂの下側及び上側にそれぞれ形成された第１スリット２７ａ及び第３スリット２７ｂを有し、図２Ａに示した第１ガイド３と同じ枠部材として形成されている。但し、図６Ｂに示したように、第１ストラップ３１の一端３１ａ及び第２ストラップ３３の一端３３ａは、それぞれ、第１ガイド２３の中央部材２３ｂの下面及び上面にそれぞれ固着されている点で図２Ａに示した第１ガイド３と異なる。第２ガイド２５は中央部材２５ｂの上側及び下側にそれぞれ形成された第２スリット２９ａ及び２９ｂを有し、図２Ｂに示した第２ガイド５と同じ枠部材から形成されている。但し、図６Ｃに示したように、第２ガイド２５には、第２ストラップ３３の他端３３ａが固着されていない点で、図２Ｂに示した第２ガイド５と異なる。
第１ストラップ３１の他端３１ｂは、第１ガイド２３から第２ガイド２５に向かって延在し、第２スリット２９ａを通り、折り返して第４スリット２９ｂを通過して第１ガイドに戻る。そして、第１ストラップ３１の他端３１ｂは第１ガイドの第３スリット２７ａを通過している。第２ストラップ３３の他端３３ｂは、第１ガイド２３から第２ガイド２５に向かって延在し、第２スリット２９ａを通過している。第２ストラップ３３の長さは第１ストラップ３１の半分よりもわずかに長く、このため、第２ガイド２５の外側（出口側）に出ているストラップ部分の長さは、第１ガイド２３の外側（出口側）に出ているストラップ部分の長さよりも長い。
ストラップ装置３５において、第１ストラップ３１の他端３１ｂ及び第２ストラップ３３の他端３３ｂを、互いに離れる方向に引出すと、第１ガイド２３及び第２ガイド２５が互いに接近するように移動して、最後に突き合う。このとき、第１ガイド２３及び第２ガイド２５からそれぞれ第１ストラップ３１及び第２ストラップ３５のほぼ全長が引出される。すなわち、第１ガイド２３からは図６Ａに示した状態の第１ガイドと第２ガイドの間隔の約２倍の長さのストラップが図面左側に引出され、第２ガイド２５からはその間隔とほぼ同じ長さのストラップが図面右側に引出され、全体でその間隔の３倍の長さが得られる。図６Ａに示した状態に戻すには、第１ガイド２３及び第２ガイド２５を互いに離れるように引離せばよい。
ストラップ装置３５は、図３に示したバッグと同様にバッグ本体に取り付け、第２ストラップ３３の他端３３ｂと第２ガイド２５との間の第２ストラップ部分にはパッド（７０）を通すことができる。そして、ショルダストラップが必要なときには、バッグからパッドを引き上げて、瞬時にストラップを引き伸ばすことができる。また、ストラップ装置３５を、図４に示したようにストラップの他端同士を連結して、連結部をバッグ上に設けることもできる。さらに、ストラップ装置３５のサイズを縮小して、図５に示したような携帯電話用ストラップとして用いることもできる。
第６具体例
図７Ａ及び７Ｂに示すストラップ装置３００は、ロック機構を備え且つガイド５が肩パッド７０の端部に固着されている以外は、図３に示したストラップ装置とほぼ同様の構造を有する。図３に示したガイド３に対応するガイド４０の中央部材４０ｂにはストラップ１１の一端１１ａを周回させ且つストラップ１１に縫い合わせることで一端１１ａが接続されており、ストラップ１１の他端１１ｂとガイド４０との間のストラップ部分にはロックアジャスタ６０が取付けられている。ロックアジャスタ６０の本体６０ａにスリット６２及び６４が形成されており、それらのスリット６２及び６４にストラップ１１の他端１１ｂを通すことによりロックアジャスタ６０はストラップ１３上での位置を変更可能に取付けられている。ロックアジャスタ６０は、本体６０ａの先端上に本体６０ａに対して撓み変形可能なロック爪６０ｂを備える。ガイド４０の上枠４０ｃはロック爪６０ｂと係合する係合部を構成している。ガイド５の下枠５ｃはパッド７０の先端に固着されており、ガイド５の中央部材５ｂには、ストラップ１３の一端１３ａを周回させ且つストラップ１３に縫い合わせることで一端１３ｂが接続されている。ストラップ１３の他端１３ｂは、ガイド４０の上枠４０ｃと中央部材４０ｂとの間のスリットを通過後、ガイド４０の中央部材４０ｂと下枠４０ａとの間のスリットを通ってガイド５の方に戻り、ガイド５の中央部材５ｂと下枠５ｃの間のスリットを通ってさらにパッド７０とパッド７０に取付けられたパッドカバー７０ａの間を通る。
図７Ａに示したように、ストラップ装置３００が縮んだ状態では、ロックアジャスタ６０のロック爪６０ｂがガイド４０の上枠４０ｃに係合してガイド４０がロックアジャスタ６０に対して固定されている。このため、ストラップ装置３００のいずれかの部分、特にガイド４０に意図しない力が加わってもストラップが緩む、即ち伸び出ることが防止される。そして、ストラップ装置３００からストラップを引出すには、ロック爪６０ｂをロックアジャスタ本体６０に対して撓み変形させて、例えば、下方に付勢してガイド４０の上枠４０ｃからロック爪６０ｂを外し、次いで、パッド７０を上方に引き上げることによってあるいはストラップの端部１３ｂをパッドカバー７０ａから引出すことによってストラップ１１及び１３をガイド間から引出す。この動作により図７Ｂに示したようにガイド４０とガイド５とが接近し合ってストラップ装置が伸長する。ここで、ロック機構は、図示の形態に限らず、種々の知られたロック機構を採用し得る。ロック爪６０ｂをガイド４０側に設けても良いし、ロック爪係合部をガイド４０の下枠４０ａに設けても良い。また、ロックアジャスタ６０のロック爪と上枠４０ｃとの係合は、機械式係合のみならず、磁力による結合を採用しても良い。あるいは、ガイド４０とストラップ１１またはバッグ本体に着脱可能なベルクロを付してそれらを結合させてもよい。
第７具体例
図８Ａ及び８Ｂに示すストラップ装置４００は、ロック機構を備え且つ肩パッドがガイド間に設けられている以外は、図３に示したストラップ装置と同様である。図８Ａに示すように、バッグ本体８０に短いウェブ１７０を介して一対のロック部材４７が設けられている。ロック部材４７は、それぞれ、先端にロック爪４７ａを有する。ガイド４３、４５は、図７Ａに示したガイド４０とほぼ同じ構造を有しており、ガイド４３、４５の下枠４３ｃ及び４５ｃに、ロック部材４７のロック爪４７ａが着脱可能に係合する係合部が設けられている。
図８Ａに示すように、ガイド４３の下枠４３ｃとガイド４５の下枠４５ｃが、ロック爪４７ａとそれぞれ係合している場合には、ガイド４３，４５のストラップ１１，１３に対する移動が拘束されるためにストラップ１１，１３はガイド４３，４５から伸び出ることができない。この状態で、ガイド４３とガイド４５との間に位置するストラップ（４重のストラップ束）は把手として機能する。図８Ａに示すように、ストラップ１１，１３を開閉可能なパッドカバー１９５で覆うことで、一層握り易くなる。
ストラップ装置４００を、ショルダストラップとして使用するには、パッドカバ−１９５をストラップ束から外して、ガイド４３の下枠４３ｃとガイド４５の下枠４５ｃからロック爪４７ａをそれぞれ離脱して、次いで、ストラップの束を上方に引き上げる、あるいはストラップ１１，１３のガイド４３，４５の外側に位置する部分を互いに引離すことによって、図８Ｂに示すようにストラップ１１，１３がガイド４３，４５から引出される。そして、ガイド４３，４５が接合している部分をパッドカバー１９５で覆えばよい。すなわち、この具体例では、ストラップ装置４００は、縮んだ状態では把手として機能し、伸びた状態ではショルダストラップとして機能する。
第８具体例
ストラップ装置５００は、図９Ａ，９Ｂに示したように一組のストラップ装置１１５，２１５を備える。ストラップ装置１１５，２１５は、それぞれ、図１に示したストラップ装置１５と同様の構造を有する。把手として機能するパッドカバー１９５の両端には係合部材４９がそれぞれ設けられている。係合部材４９は、それぞれ、バッグ本体８０にウェブ１７０を介して設けられた一対のロック部材１６０のロック爪と着脱可能に係合する。ストラップ装置１１５，２１５は、一端が、それぞれ、バッグの側壁に接続されており、他端がガイド５の中央部材５ｂに接続されているストラップ１３を有する。ストラップ装置１１５のガイド５５の中央部材５５ｂにストラップ１１０の一端が接続されている。ストラップ１１０の他端は、ガイド５に向かって延在し、ガイド５の中央部材５ｂを巻き戻ってガイド５５の中央部材５５ｂと上枠５５ａとの間のスリットを通過してバッグ中央に位置するパッド１９５の内部でストラップ装置２１５のストラップ１１０と連結されている。
図９Ａに示したように、係合部材４９に、ロック部材１６０のロック爪が係合している状態では、ストラップ装置１１５，２１５のストラップ１３，１１０は引出されることができず、パッドカバー１９５は把手として機能する。一方、係合部材４９からロック部材１６０を離脱して、次いで、パッドカバー１９５を上方に引き上げることによって、図９Ｂに示すようにストラップ１１，１３がガイド５，５５を通じて引出される。こうして、ストラップ装置１１５，２１５はショルダストラップとして機能する。図９Ａに示した状態に戻すには、各ストラップ装置のガイド５，５５を互いに離れる方向に引離せば良い。
第９具体例
図４の変形例として、ストラップを把手として機能させることができる例を図１０Ａに示す。図示のように、パッドカバー１９５は、５重に重なったストラップ束（１１，１３，７５）を着脱可能に覆うことができる、例えば皮製のカバーである。パッドカバー１９５がストラップ束（１１，１３，７５）を覆っている時には、各ストラップ１１，１３，７５がパッドカバー１９５により拘束されて移動不可能であるためにパッドカバー１９５は把手として機能する。ストラップをショルダストラップとして使用したい場合には、ストラップ束からパッドカバー１９５を外して、ストラップ７５を上方に引き上げればよい。そして、図１０Ｂに示すように、パッドカバー１９５を引出されたストラップ７５の中央部に装着することによって肩パッドとして機能させることができる。なお、各ストラップ装置のストラップ１１０の他端は、パッドカバー１９５に直接連結されても良い。
第１０具体例
図３に示したバッグの変形例において、パッド７０を設ける代わりに、ガイド３，５にパッドをそれぞれ取付けたり、ガイド３，５をパッドと一体的に形成することができる。図１１Ａに示したように、ガイド３，５全体は、ストラップ通過窓３０ａ，３０ｃ，５０ａ，５０ｃを除いて、ゴムのような柔軟な材料から形成されたガイドカバー（パッド）３０，５０で覆われている。ストラップ１１，１３が引出されたときに、図１１Ｂに示したように、ガイド３，５が接近して、ガイドカバー３０，５０同士が密着する。この例の場合、パッドがガイド３，５にそれぞれ設けられているため、図３の場合と異なり、ストラップ１１，１３の長さを同一にすることができる。
第１１具体例
図１２に示したように、ガイド３にのみロック機構を設けても良い。ロック機構は、ガイド３の中央部材３ｂを貫通する回転軸９０ｃを中心に回転可能なロックアーム９０と、ガイド３の上枠の両側面に設けられた突起９２と、ガイド３の下枠の両側面に設けられた突起９４とを有する。ロックアーム９０は矩形の枠であり、回転軸９０ｃに連結されたアーム９０ｂはそれぞれＬ字を示すように途中で折れ曲がっており、ストラップを横断するロックバー９０ａに接続されている。図１２Ａに示したようにストラップをガイド３に対してフリーにするときには、アーム９０ｂは突起９２により反時計周りの回動が防止されている。このため、ストラップ１１，１３はガイド３に対してすべり移動可能である。一方、ストラップ１１，１３のガイド３に対する移動を防止するときには、図１２Ｂに示したように、アーム９０ｂを撓ませて突起９２を超えて反時計方向に回転させ、さらにアーム９０ｂを撓ませて突起９４を超えさせる。この状態でロックバー９０ａはストラップ１１，１３からなるストラップ束を押さえ付けているためにストラップ１１，１３はガイドのスリット内をすべり移動することができない。
第１２具体例
図１３Ａ及び１３Ｂに示すストラップ装置７００は、ロックアジャスタ６０がバッグ本体８０に設けられており、ロック爪と係合する係合部がガイド下枠１４０ａに設けられている以外は、第６具体例とほぼ同様な構造を有する。ロックアジャスタ６０の本体６０ａの端部は、バッグ本体８０の側壁部８０ａにウェブ６３を介して取付けられている。図１３Ａに示したように、ストラップ装置７００が縮んだ状態では、ロックアジャスタ６０のロック爪６０ｂがガイド１４０の下枠１４０ａに係合してガイド１４０がロックアジャスタ６０に対して固定されている。パッド７０の裏面には、ベルクロ７３の一片７３ａが接着され、この一片７３ａと付着する他片７３ｂがバッグの側面８０ａに取付けられている。このベルクロ７３によりパッド７０はバッグ側面８０ａに着脱可能に付着される。ストラップ装置７００からストラップを引出すには、ロック爪６０ｂをロックアジャスタ本体６０ａに対して撓み変形させてガイド１４０の下枠１４０ａからロック爪６０ｂを外す。次いで、図１３Ｂに示したように、ベルクロの一片７３ａを他片７３ｂから離脱しつつ、バッド７０をバッグ本体の側面８０ａに沿ってロックアジャスタ６０から離れる方向に引く。この動作でストラップ１１，１３がガイド１４０，５の間から引出される。ストラップが完全に引出されると、ガイド１４０とガイド５は、図１４Ａに示すように接合して一体化する。
引出されたストラップを短くするためには、ユーザは一方の手でパッド７０あるいはガイド５を握ってガイド５に接合しているガイド１４０をロックアジャスタ６０に運び、図１４Ｂに示すように、ガイド下枠１４０ａをアジャスタ爪６０ａに係合させる。このとき、ストラップは図示のように弛んだ状態にある。次いで、ユーザはパッド７０あるいはガイド５を握ったままガイド１４０から離れる方向（図中矢印方向）にガイド５を引くことにより、弛んだストラップがガイド５，１４０間に収容され、図１３Ａに示したようにガイド５、１４０が離れた状態に戻すことができる。そして、ベルクロの一片７３ａを他片７３ｂに付着させることによりパッド７０をバッグ側面８０ａに固定することができる。ストラップを短くする上記動作の間、ユーザは他方の手でバッグのハンドル８０ｃを握ってバッグ本体８０を保持していることができることに注目すべきである。すなわち、この具体例のロック機構を用いれば、ユーザは片手でバッグのハンドル８０ｃを握ったまま、片手でストラップの伸縮動作を行うことができる。従って、ストラップの伸縮動作の際に、バッグ本体を床や椅子の上に置く必要がない。特に、ストラップを縮める動作は、ｉ）ロック爪６０ｂをガイド下枠１４０ａに挿入するステップと、ｉｉ）ガイド１４０を引くステップの２つのステップで足り、この２つのステップは簡単で数秒しかかからない。この例におけるバッグ側面とはバッグ正面を意図している。しかしながら、バッグ側面はバッグ背面にし得る。ストラップ装置を、バッグ正面に設けるとバッグに機能的なデザインを与えることができ、バッグ背面に設けるとバッグ正面のデザインを損なうことがない。
第１２具体例の変形例として、ストラップ装置７００の代わりに第１０具体例に示したようなストラップ装置を用い得る。この場合、例えば、図１７に示すように、ガイドカバー３０のストラップ通過窓３０ａ側の底面にロック爪６０ｂと係合する係合部６１０をテープ６１２を介して（あるいは直接）取付けることができる。そして、ガイドカバー５０の底面にベルクロの他片７３ｂを取付け得る。
以上説明してきた具体例に示したガイドは、図１５Ａ及び１５Ｂに示すような構造にすることができる。図１５Ａに示したガイド１３３は、ストラップが巻回している中央部材１３３ｂは、ガイド内でガイドの長さ方向においてガイドの出口側（図面左側）にオフセットされて設けられている。特に、この例では中央部材１３３ｂはガイドの出口端部に設けられている。これは以下の理由による。本発明者の実験によると、ストラップをガイドの中央部材１３３ｂに巻き付けた状態で縫い合わせた場合には、縫い目１３５が中央部材１３３ｂから離れているために（縫い代）、一方のガイド１３３が他方のガイド１３３に接合した時に、縫い目１３３ｂが他方のガイド１３３のスリットに入り込む可能性がある。これは、ミシンにより縫い目１３５を形成する場合には、必ず、縫い代が必要となるからである。これを防止するためには、図示のような中央部材１３３ｂがガイド出口端に設けられたガイドに、ストリップをガイドの外側にて縫い合わせた後で、縫い目１３５をガイド１３３内に収容すればよい。
この場合、ガイド上枠１３３ａと中央部材１３３ｂとの間に形成されたスリットの間隔Ｓ１は、ストラップがガイドから弛まない程度にストラップが２本通る幅であることが望ましく、例えば、ストラップ厚みの２倍より０．２ｍｍから１ｍｍ程度大きいのが望ましい。ガイド下枠１３３ｃと中央部材１３３ｂとの間に形成されたスリットの間隔Ｓ２は、ストラップがガイドから弛まない程度にストラップが３本通る幅であることが望ましく、例えば、ストラップ厚みの３倍より０．２ｍｍから１ｍｍ程度大きいのが望ましい。Ｓ１とＳ２との関係ではＳ２の方がＳ１よりストラップの厚み以上に大きいのが望ましい。上記のように、Ｓ１とＳ２を異ならせる代わりに、ストラップ端部を２重以上に折り畳んでストラップと縫い合わせることにより縫い合わせの厚みがスリット以上となり、それにより縫い目がスリットに侵入することが防止される。
また、前述の縫い代を短くできる場合には、図１５Ｂに示したガイド３４のように、中央部材を、ストラップの一端１１ａが接続される部分３４ｄとストラップが巻回する部分３４ｂとをそれぞれ独立した円柱状部材で構成してもよい。こうすることで、ガイドの厚みＷ（ストラップが伸びる方向と垂直方向のガイド幅）を薄くすることができ、また、ストリップの移動がよりスムーズになる。さらに、図１５Ｂに示したように、一対のガイドを互いに引離す動作を容易にするために、ガイドの上枠３４ａと下枠３４ｃに突起１３０を設け、それをグリップとして機能させることができる。この突起は、ガイドの側面（横枠）に設けるのが効果的である。
図７、図８Ａ及び８Ｂに示したロック機構に代えて、図１６に示すように、ストラップの他端１１ｂを折り返してストラップの厚みが増す部分１１ｃを形成し、この部分が図示のようにガイドのスリットに挿入されて係合するような構造を採用し得る。この構造は、極めて簡単にストラップのガイドに対するロックを可能にし、図５に示した携帯電話用ストラップに特に有用となる。ストラップを重ねる代わりに、ストラップの他端近傍にガイドのスリット部分に挿入可能な部材を着脱可能にまたは位置変更可能に設けてもよい。この部材はストラップの長さを調節するアジャスタ（不図示）に固着してもよい。
図１８Ａ〜１８Ｅに、本発明のストラップ装置において、ストラップ１１，１３がガイド３，５のスリットを通るときの種々のパターンを示す。いずれのパターンも特許請求の範囲に記載した本発明のストラップ装置の形態に包含される。このうち、特に、ストラップ１１、１３をガイド３，５から引出す際の絡みを防止する観点からすれば、図７Ａと等価な図１８Ｂに示すパターンが有利である。
以上、本発明を具体例により説明してきたが、本発明はそれらの具体例の種々の変形例を含む。例えば図６に示した３倍延長モードのストラップ装置を別の具体例で示したバッグや携帯電話用のストラップとして使用することができる。また、図４、６、８、９、１０に示したストラップ装置（例えば、ガイド５に）例示したロック機構を設けても良い。ストラップ材料として、皮、人工皮革、布を用い得る。布などの柔軟な素材を用いるときは、ストラップの絡みを防止するためにテグスのような心材を素材内部に挿入してもよい。本発明のストラップ装置は、動物の手綱、電気コード、帽子やヘルメットの顎紐、めがねコード、コートのような衣類のベルトなど伸縮自在の機能があると便利な種々の用途に使用可能である。
産業上の利用可能性
本発明のストラップは、縮んだときの長さの４倍の長さに極めて容易に延長することができるために、バッグや携帯のストラップなど種々の用途に好適である。また、本発明のストラップは構造が簡単であるために低コストで製造可能である。本発明のバッグは、ストラップを使用していない場合は、ストラップがバッグ本体から垂れ下がることがない長さに縮み、ストラップが必要なときには瞬時に十分な長さに引き伸ばすことができ、一方、ストラップを容易且つ瞬時に縮めることができる。
【図面の簡単な説明】
図１Ａは本発明のストラップ装置の構造を示す概略図であり、図１Ｂはストラップ装置の伸長途中の様子を示す概略図であり、図１Ｃはストラップ装置が伸長された状態の概略図である。
図２Ａ及び２Ｂは、ぞれぞれ、第１及び第２ガイドの斜視図である。
図３Ａは、ストラップ装置が縮んだ状態のバッグの概略図であり、図３Ｂはストラップ装置が伸長した状態のバッグの概略図である。
図４Ａは、ストラップ装置が縮んだ状態のバッグの概略図であり、図４Ｂはストラップ装置が伸長した状態のバッグの概略図である。
図５は、図１に示したストラップ装置を装着した携帯電話の概略図である。
図６Ａは本発明の別のストラップ装置の概念図であり、６Ｂ及び６Ｃは第１及び第２ガイドの構造をそれぞれ示す。
図７Ａは本発明の第６具体例に従うストラップ装置の構造の概略図であり、図７Ｂは図７Ａに示したストラップ装置が伸長する過程を示す概略図である。
図８Ａは本発明の第７具体例のストラップ装置付きバッグの構造を示す概略図であり、図８Ｂは図８Ａに示したストラップ装置が伸長した状態を示す概略図である。
図９Ａは本発明の第８具体例のストラップ装置付きバッグの構造を示す概略図であり、図９Ｂは図９Ａに示したストラップ装置が伸長した状態を示す概略図である。
図１０Ａは本発明の第９具体例のストラップ装置付きバッグの構造を示す概略図であり、図１０Ｂは図１０Ａに示したストラップ装置が伸長した状態を示す概略図である。
図１１Ａは本発明の第１０具体例のストラップ装置の縮んだ状態を示す概略図であり、図１１Ｂはストラップ装置の伸長した状態を示す概略図である。
図１２Ａは第１１具体例のストラップ装置用いるガイドがロックされていない状態を示す概略図であり、図１２Ｂはガイドがロックされている状態を示す概略図である。
図１３Ａ及び１３Ｂは、ロックアジャスタがバッグ本体の側壁に設けられた第１２具体例を示すバッグの上面図である。
図１４Ａ及び１４Ｂは、第１２具体例においてストラップを収納するときの動作を示すバッグの上面図である。
図１５Ａはストラップ装置に用いるガイドの構造の一例を示す断面図であり、図１５Ｂはガイドの構造の別の例を示す断面図である。
図１６は、本発明のストラップ装置に用いられるロック機構の構造及び動作を説明する図である。
図１７は、図１６において用いることができる別のストラップ装置の例を示す。
図１８Ａ〜１８Ｅは、本発明のストラップ装置におけるストラップのガイドに対する種々の通り方を示す概念図である。
【図１Ａ】
2002074128.tif 000003
【図１Ｂ】
2002074128.tif 000004
【図１Ｃ】
2002074128.tif 000005
【図２Ａ】
2002074128.tif 000006
【図２Ｂ】
2002074128.tif 000007
【図３Ａ】
2002074128.tif 000008
【図３Ｂ】
2002074128.tif 000009
【図４Ａ】
2002074128.tif 000010
【図４Ｂ】
2002074128.tif 000011
【図５】
2002074128.tif 000012
【図６Ａ】
2002074128.tif 000013
【図６Ｂ】
2002074128.tif 000014
【図６Ｃ】
2002074128.tif 000015
【図７Ａ】
2002074128.tif 000016
【図７Ｂ】
2002074128.tif 000017
【図８Ａ】
2002074128.tif 000018
【図８Ｂ】
2002074128.tif 000019
【図９Ａ】
2002074128.tif 000020
【図９Ｂ】
2002074128.tif 000021
【図１０Ａ】
2002074128.tif 000022
【図１０Ｂ】
2002074128.tif 000023
【図１１Ａ】
2002074128.tif 000024
【図１１Ｂ】
2002074128.tif 000025
【図１２Ａ】
2002074128.tif 000026
【図１２Ｂ】
2002074128.tif 000027
【図１３Ａ】
2002074128.tif 000028
【図１３Ｂ】
2002074128.tif 000029
【図１４Ａ】
2002074128.tif 000030
【図１４Ｂ】
2002074128.tif 000031
【図１５Ａ】
2002074128.tif 000032
【図１５Ｂ】
2002074128.tif 000033
【図１６】
2002074128.tif 000034
【図１７】
2002074128.tif 000035
【図１８Ａ】
2002074128.tif 000036
【図１８Ｂ】
2002074128.tif 000037
【図１８Ｃ】
2002074128.tif 000038
【図１８Ｄ】
2002074128.tif 000039
【図１８Ｅ】
2002074128.tif 000040
【国際調査報告】
2002074128.tif 000041
2002074128.tif 000042